【事件の表示】
　特願２００１−２１１１９３「再生装置」拒絶査定不服審判事件〔平成１５年　１月３１日出願公開、特開２００３−　３０９６４〕について、次のとおり審決する。
【結　論】
　本件審判の請求は、成り立たない。
【理　由】
第１　手続の経緯の概略
　
　本願は、平成１３年７月１１日の出願であって、拒絶理由の通知に応答して平成１６年１１月８日付けで手続補正がなされたが、平成１７年１月３１日付けで拒絶査定がなされ、これに対し、同年３月１０日に拒絶査定不服審判が請求されるとともに、同年４月１１日付けで手続補正がなされたものである。
　
　
第２　平成１７年４月１１日付けの手続補正についての補正却下の決定
　
［補正却下の決定の結論］
　
　平成１７年４月１１日付けの手続補正（以下、「本件補正」という。）を却下する。
　
［理由］
　
１．本件補正についての補正の内容
　
　本件補正は、明細書についてするもので、特許請求の範囲に関しては、補正前（平成１６年１１月８日付け手続補正書参照）の、
「【請求項１】
　記録媒体に記憶された複数のプログラムをグループ化して記憶手段に記憶し、上記記憶手段から所定のプログラムを選択して再生する再生装置において、
　上記各プログラム毎にそれぞれ所定の再生位置を指定する位置指定手段と、
　上記位置指定手段によって指定された上記各プログラムの再生位置を登録開始位置とし、上記登録開始位置から所定時間経過後の位置を登録終了位置とし、この区間を上記各プログラム毎の代表再生位置として登録する第１の登録手段と、
　上記第１の登録手段によって登録された上記各プログラム毎の代表再生位置の中から上記各グループ毎の代表再生位置として各グループの中から１つの代表再生位置を選択し、登録する第２の登録手段と、
　上記第１および第２の登録手段の管理情報を記憶する管理情報記録手段と、
　上記記憶手段に記憶された複数の上記グループの中から所定のグループを検索する第１の検索モードと、上記グループの中から所定のプログラムを検索する第２の検索モードと、上記第１の検索モードと上記第２の検索モードとを組み合わせて上記グループから所定のプログラムを検索する第３の検索モードと、
　上記第１の検索モードと上記第２の検索モードと上記第３の検索モードとを選択する検索モード選択手段と、
　上記検索モード選択手段によって選択された上記検索モードと、上記管理情報記録手段に記憶された上記管理情報とに基づいて上記記憶手段に記憶されたプログラムを再生する制御手段と
　を備えることを特徴とする再生装置。
【請求項２】
　上記検索モード選択手段よって上記第１の検索モードが選択された場合には、上記制御手段によって上記グループの代表プログラムの代表再生位置を再生し、再生された再生位置が所望のグループの代表再生位置であるかの可否を判断し、可である場合には上記所望のグループの先頭プログラムから順次プログラムを再生し、否である場合には次のグループの代表再生位置を再生し、
　上記検索モード選択手段よって上記第２の検索モードが選択された場合には、上記制御手段によって上記グループの中から所定のグループを選択し、選択された上記グループの各プログラムの代表再生位置を順次再生し、
　上記検索モード選択手段よって上記第３の検索モードが選択された場合には、上記制御手段によって上記グループの代表再生位置を再生し、所望のグループの代表再生位置であるかの可否を判断し、可である場合には上記所望のグループのプログラムの代表再生位置を先頭から順次再生し、否である場合には次のグループの代表再生位置を再生することをを特徴とする請求項１記載の再生装置。」を、
　
「【請求項１】
　記録媒体に記憶された複数のプログラムをグループ化して記憶手段に記憶し、上記記憶手段から所定のプログラムを選択して再生する再生装置において、
　上記各プログラム毎にそれぞれの再生開始位置から再生終了位置を指定して各プログラム毎の再生位置を指定する位置指定手段と、
　上記位置指定手段によって指定された上記各プログラムの上記再生位置を上記各プログラム毎の代表再生位置として登録する第１の登録手段と、
　上記第１の登録手段によって登録された上記各プログラム毎の代表再生位置の中から上記各グループ毎の代表再生位置として代表再生位置を選択し、上記各グループの代表再生位置として登録する第２の登録手段と、
　上記第１および第２の登録手段の管理情報を記憶する管理情報記録手段と、
　上記記憶手段に記憶された複数の上記グループの中から指定するグループを検索する第１の検索手段と、
　複数の上記プログラムの中から指定するプログラムを検索する第２の検索手段と、
　複数の上記グループから指定するプログラムを検索する第３の検索手段と、
　上記第１の検索手段と上記第２の検索手段と上記第３の検索手段とをそれぞれ選択する検索選択手段と、
　上記検索選択手段によって選択された上記検索手段と、上記管理情報記録手段に記憶された上記管理情報とに基づいて上記記憶手段に記憶されたプログラムを再生する制御手段とを備え、
　上記検索選択手段よって上記第１の検索手段が選択された場合には、上記第２の登録手段に登録された上記各グループの代表再生位置が上記制御手段によって順次再生され、再生された上記代表再生位置が所望のグループの代表部分であるかの可否を判断し、可である場合には上記所望のグループの先頭プログラムから順次プログラムを再生し、否である場合には次のグループの上記代表再生位置を再生し、
　上記検索選択手段よって上記第２の検索手段が選択された場合には、上記各グループの中から所望のグループを選択し、選択された上記グループの上記第１の登録手段に登録された上記各プログラムの代表再生位置が上記制御手段によって先頭から順次再生され、再生された上記代表再生位置が所望のプログラムであるかの可否を判断し、可である場合には上記所望のプログラムを先頭から再生し、否である場合には上記第1の登録手段に登録された次のプログラムの代表再生位置を再生し、
　上記検索選択手段よって上記第３の検索手段が選択された場合には、上記第２の登録手段に登録された上記各グループの代表再生位置が上記制御手段によって再生され、上記所望のグループの代表再生位置であるかの可否を判断し、可である場合には上記所望のグループのプログラムの代表再生位置を先頭から順次再生し、否である場合には次のグループの代表再生位置を再生することを特徴とする再生装置。」
と補正しようとするものである。
　
２．補正の目的についての検討
　
　そこで、本件補正が適法なものであるか否かについて検討する。
　本件補正の請求項１は、概略本件補正前の請求項１及び請求項２の発明特定事項を併せたものであるが、さらに、次の（あ）〜（え）のような補正事項も含んでいる。
（あ）位置指定手段によって指定される各プログラムの再生位置に関し、本件補正前の「登録開始位置とし、上記登録開始位置から所定時間経過後の位置を登録終了位置」とする特定事項が削除され、本件補正により「再生開始位置から再生終了位置を指定」する特定事項が付加されている。
（い）各プログラム毎の代表再生位置の中から各グループ毎の代表再生位置を選択する点に関し、本件補正において各グループの中から選択する代表再生位置について「１つの」という特定事項が削除されている。
（う）本件補正前の「第３の検索モード」が有していた「上記第１の検索モードと上記第２の検索モードとを組み合わせて」という特定事項が、本件補正の「第３の検索手段」において削除されている。
（え）本件補正前の各「検索モード」を、本件補正により各々「検索手段」に変更している。
　これらの補正事項（あ）〜（え）は、いずれも発明特定事項に対する限定の削除または変更であるから、特許請求の範囲の減縮、誤記の訂正、拒絶理由通知に係る拒絶の理由に示す事項についてするところの明りょうでない記載の釈明、のいずれを目的とするものにも該当しない。
　
３．本件補正についてのむすび
　
　以上のとおりであるから、本件補正は、平成１８年改正前特許法第１７条の２第４項の規定に違反するものであり、特許法第１５９条第１項において読み替えて準用する同法第５３条第１項の規定により却下すべきものである。
　
　
第３　本発明について
　
１．本発明
　
　平成１７年４月１１日付け手続補正は上記のとおり却下されたので、本件特許出願の請求項１及び２に係る発明は、平成１６年１１月８日付けの手続補正により補正された特許請求の範囲の請求項１及び２に記載されたとおりのものと認めるところ、その請求項１に係る発明は上記第２の１．にて補正前の請求項１として記載したとおりである。（以下、「本発明」という。）
　
２．引用文献
　
（１）これに対し、原査定の拒絶の理由において引用された刊行物である特開平４−２６５５９２号公報（以下、「引用文献１」という。）には、情報再生装置に関して図面とともに次の事項が記載されている。なお下線は当審で付与した。
＜引１ａ＞【請求項１】
「アドレス情報によって区切られ時系列的に記録されている
複数の情報片を有する記録媒体を複数収納し再生する情報再生装置において、複数の記録媒体ごとの各情報片の所定位置を所定時間順次再生する第１のモードと、上記複数の記録媒体のうちの特定の記録媒体における複数情報片の各所定位置を順次再生する第２のモードとを選択して情報再生動作を制御する制御手段を備える
情報再生装置
＜引１ｂ＞【請求項４】
「上記請求項１記載の情報再生装置において、上記
制御手段
第１及び第２の各モードを単一の動作指令キーで選択制御する場合に
当該動作指令キーの投入により第１のモードから第２のモードの順序で選択して情報再生動作を制御する
＜引１ｃ＞【０００４】
「【０００４】
【発明が解決しようとする課題】従来の情報再生装置は以上のように構成されていたことから、単一のソース（記録媒体）を再生する情報再生装置については前記他のスキャン機能を有するものが存在したが、複数のソース（記録媒体）を再生するマルチ
ＣＤプレーヤ等の情報再生装
＜引１ｄ＞【０００８】
「【実施例】（ａ）本発明の一実施例
次に、本発明の一実施例を図１〜図４に基づいて説明する。本実施例に係る情報再生装置の例としてＣＤプレーヤの概略を説明する。このＣＤプレーヤの概略構成を図１に示す。」
＜引１ｅ＞【００１０】
「システムコントローラ５はＣＰＵを用いて構成され、本実施例に係るスキャン動作を予め設定された制御プログラムに従って図２に示すようにスキャン動作を制御する。まず、システムコントローラ５は入力キーボード６のスキャンキーが押下されると、情報
記録媒体としての
ＣＤ
＜引１ｆ＞【００１６】−【００１８】
「【００１６】（ｂ）本発明の他の実施例
　上記実施例においてはディクスハイライトスキャンモードとトラックハイライトスキャンモードとの選択を単一のスキャンキーの押下によりディスクハイライトスキャンモードからトラックハイライトスキャンモードへと移行する構成としたが、
各モードに対応したスキャンキーを各々設けて各スキャンキーが押下される毎に対応するディスクハイライトスキャンモードかトラックハイライトスキャンモードかを選択する構成とすることもできる
【００１７】上記実施例においては
ディスクハイライトスキャンモードを
複数のＣＤ１〜ｎにおける各々の最も特徴を有する部分の曲又は情報を所定時間順次再生する構成とすることもできる。
トラックハイライトスキャンモードを特定のＣＤに記憶される
複数曲の特徴部分を所定時間順次演奏する構成とすることもできる
【００１８】上記実施例においては記録媒体をＣＤで構成したが、ＬＶＤ、ＤＡＴ等の順次時系列的にアドレス情報によって区画された曲その他の情報が記録されている記録媒体で構成することもできる。」
　　
　上記各摘示事項及び図面の記載を総合勘案すると、引用文献１には以下の発明が記載されていると認められる。
「複数の曲を有するＣＤを複数収納し再生する情報再生装置において、
　複数のＣＤごとの各曲の所定位置を所定時間順次再生するディスクハイライトスキャンモードと、上記複数のＣＤのうちの特定のＣＤにおける複数曲の各所定位置を順次再生するトラックハイライトスキャンモードの各モードに対応した各スキャンキーと、
　前記各スキャンキーが押下される毎に対応するモードを選択して情報再生動作を制御する制御手段とを備え、
　ディスクハイライトスキャンモードからトラックハイライトスキャンモードの順序で選択して情報再生動作を制御することができるようにした、
　ＣＤプレーヤ等の情報再生装置。」（以下、「引用文献１の発明」という。）
　　　
（２）また、原査定の拒絶の理由において引用された刊行物である特開２００１−１４２４９５号公報（以下、「引用文献２」という。）には、記録再生装置に関して図面とともに次の事項が記載されている。なお下線は当審で付与した。
＜引２ａ＞【請求項１】−【請求項２】
「【請求項１】  不揮発性メモリに記録される
プログラム
ダイジェスト部の開始位置と終了位置をユーザが入力するための
入力手段
上記ダイジェスト部の開始アドレスおよびダイジェスト期間情報を不揮発性メモリに対して記録する記録手段とからなる編集装置。
【請求項２】  上記プログラムは複数のブロックに分割され、上記複数に分割されたブロックの１つは管理領域として用いられ、上記開始アドレスおよびダイジェスト期間情報が上記管理領域に記録されることを特徴とする請求項１記載の編集装置。」
＜引２ｂ＞【請求項６】−【請求項９】
「【請求項６】  上記不揮発性メモリに記録されたプログラムは複数のアルバムにカテゴライズされ、上記各々のアルバムに対するダイジェスト情報が記載される再生管理ファイル領域を更に備えてなる請求項１記載の編集装置。
【請求項７】  不揮発性メモリに記録されるプログラムのダイジェスト部を編集する編集方法において、
ダイジェスト部の開始位置と終了位置をユーザが入力する入力ステップと、
上記開始位置および終了位置にしたがってダイジェスト部の開始アドレスおよびダイジェスト期間情報を生成する生成ステップと、
上記ダイジェスト部の開始アドレスおよびダイジェスト期間情報を不揮発性メモリに対して記録する記録ステップとからなる編集方法。
【請求項８】  複数のブロックから構成されるプログラムが記録された不揮発性メモリにおいて、
上記複数のブロックの１つは属性情報が記録される属性情報記録領域として用いられ、上記他のブロックの各々はヘッダ部とメインデータ部とから構成され、ユーザによって指定されたプログラムのダイジェスト部の開始アドレスとダイジェスト期間情報を上記属性情報記録領域に記録した不揮発性メモリ。
【請求項９】  
記録されたプログラムは複数のアルバムにカテゴライズされ
＜引２ｃ＞【０００３】
「フラッシュメモリを機器に対して着脱自在に構成したメモリカードも知られている。このメモリカードを使用すれば、従来のＣＤ（コンパクトディスク）、ＭＤ（ミニディスク）等のディスク状媒体に換えてメモリカードを使用するディジタルオーディオ記録／再生装置を実現することができる。」
＜引２ｄ＞【０００９】
「この発明の他の目的は、一つの不揮発性メモリに記録された複数のアルバムのダイジェスト部を記録することが可能な編集装置、編集方法および不揮発性メモリを提供することにある。」
＜引２ｅ＞【００１４】−【００１５】
「図１は、この発明の一実施形態におけるメモリカードを使用したディジタルオーディオレコーダ／プレーヤの全体の構成を示す。この一実施形態は、
記録媒体として、着脱自在のメモリカードを使用するディジタルオーディオ信号の記録および再生機である。より具体的には、このレコーダ／プレーヤは、アンプ装置、スピーカ、ＣＤプレーヤ、ＭＤレコーダ、チューナ等と共にオーディオシステムを構成する。
【００１５】記録再生装置は、それぞれ１チップＩＣで構成されたオーディオエンコーダ／デコーダＩＣ１０、セキュリティＩＣ２０、ＤＳＰ(Digital Signal Processor)３０を有する。さらに、記録再生装置本体に対して着脱自在のメモリカード４０を備える。
メモリカード
は
不揮発性メモリ
を含
＜引２ｆ＞【００４９】
「上述したメモリカードは、ディスク状記録媒体と同様にパーソナルコンピュータのＦＡＴシステムによって使用可能なものである。」
＜引２ｇ＞【０１３１】−【０１３４】
「【０１３１】例えば、録音ボタン８２が押された場合には、録音動作が開始される。つまり、選択された所定の
入力ソースから生成したオーディオデータがメモリカード４０の所定領域に順次書き込まれ
、メモリカード４０の所定領域に書き込まれているオーディオデータが順次読み出され、読み出されたオーディオデータに基づいてアナログオーディオ信号が生成されてライン出力端子１９から取り出され
【０１３２】また、再生状態において、さらに再生ボタン８５が押されて使用者により所定時間以上押され続けた場合には、再生動作に並行してインデックス管理情報書き込み処理に移行し、使用者によって任意の再生区間が設定される。具体的には、インデックス管理情報書き込み処理では、再生ボタン８５の押されたタイミングで規定されるインデックス情報の開始位置を示す情報と、再生ボタン８５の押され続けた時間を示す情報とがＣＰＵ７０において生成され、これら情報が再生区間を示す情報としてメモリカード４０の所定領域に書き込まれる。
【０１３３】つまり、再生されている楽曲等において使用者の気に入った特徴的な部分や、所謂ダイジェスト部分が使用者により指定され、その再生区間を示す情報がメモリカード４０の所定領域に書き込まれる。なお、再生ボタン８５の押されたタイミングで規定されるインデックス情報の開始位置を示す情報は、例えば、前述したＡＴＲＡＣ３オーディオファイルＡ３ＤＤｎｎｎｎの属性ヘッダ中のＩＮＸに格納され、再生ボタン８５の押され続けた時間を示す情報は、ＸＴに格納される。ＩＮＸによって、最大約６０８４秒まで指定することが可能であり、ＸＴによって、６０８４秒程度まで指定することが可能とされている。
【０１３４】一度、このように使用者の気に入った特徴的な部分や、所謂ダイジェスト部分を特定し、その再生区間を示す情報をメモリカード４０の所定領域に書き込んでおけば、次回からの再生動作に先立って、容易に曲の検索を行うことが可能となり、また、特徴的な部分のみを取りまとめて再生することも可能となる。
＜引２ｈ＞【０１５２】
「この発明では、更に第２０図に示すようにＬＰモードにおいては１２８分の記記録可能時間を設定することができ、
例えば４０分のＣＤなら３枚を１枚のメモリカードに収録することができる。このように、１枚のメモリカードに複数枚のアルバムを収録する場合に、各アルバムの代表曲をダイジェスト部分として再生できれば検索に便利である。上記アルバムの代表曲はアルバムからシングルカットされた曲の更にダイジェスト部分であるのが望ましい。
＜引２ｉ＞【０１５７】
「【発明の効果】この発明では、所定の操作部材に対して所定操作がなされると、再生動作に並行してインデックス管理情報書き込み処理に移行し、使用者によって任意の再生区間を設定することが可能となる。具体的には、
インデックス管理情報書き込み処理において、使用者によって再生ボタンの押されたタイミングで規定されるインデックス情報の開始位置を示す情報と、再生ボタンの押され続けた時間を示す情報とが制御部において生成され、これら情報が再生区間を示す情報として
メモリの所定領域に書き込まれる
ことにより、再生されている楽曲等において使用者の気に入った特徴的な部分や、所謂ダイジェスト部分を特定することが可能とな
、曲のインデックス情報をユーザ自身が指定することができ、また、これを用いて容易に検索することができる
記録再生装置
と記載されている。
　　　
３．対比
　
　本発明と引用文献１の発明とを対比する。
（１）引用文献１の発明における「ＣＤ」は、本発明における「記録媒体」に相当する。
　引用文献１の発明における「曲」は、本発明における「プログラム」に相当する。
　引用文献１の発明は、「複数のＣＤごとの各曲の所定位置を所定時間順次再生」し、「特定のＣＤにおける複数曲の各所定位置を順次再生する」のであるから、「ＣＤ」を単位とした曲のグループ化を行っていることは明らかである。
　引用文献１の発明における「複数の曲を有するＣＤを複数収納し再生する」は、複数収納したＣＤが有する複数の曲の中の所定の曲を選択して再生することを意味することは明らかであり、本発明の「記録媒体に記憶された複数のプログラム」「から所定のプログラムを選択して再生する」に相当する。
　引用文献１の発明における「情報再生装置」は、本発明における「再生装置」に相当する。
（２）引用文献１の発明において、「トラックハイライトスキャンモード」は「特定のＣＤにおける複数曲の各所定位置を順次再生する」ものであるから、前記再生のため、前記所定位置を指定する手段を備えることは明らかである。
（３）引用文献１の発明における「複数のＣＤごとの各曲の所定位置を所定時間順次再生するディスクハイライトスキャンモード」は、本発明における「複数の上記グループの中から所定のグループを検索する第１の検索モード」に相当する。
　引用文献１の発明における「特定のＣＤにおける複数曲の各所定位置を順次再生するトラックハイライトスキャンモード」は、本発明における「上記グループの中から所定のプログラムを検索する第２の検索モード」に相当する。
（４）引用文献１の発明における「各モードに対応した各スキャンキー」は、本発明における「検索モード選択手段」と比較して、「上記第１の検索モードと上記第２の検索モードと」「を選択する」手段である点で一致する。
　また、引用文献１の発明における「前記各スキャンキーが押下される毎に対応するモードを選択して情報再生動作を制御する制御手段」は、本発明の「制御手段」と比較して、「上記検索モード選択手段によって選択された上記検索モード」「に基づいて」「プログラムを再生する制御手段」である点で一致する。
　
　そうすると、本発明と引用文献１の発明は次の点で一致する。
＜一致点＞
「記録媒体に記憶された複数のプログラムをグループ化して所定のプログラムを選択して再生する再生装置において、
　上記各プログラム毎にそれぞれ所定の再生位置を指定する位置指定手段と、
　複数の上記グループの中から所定のグループを検索する第１の検索モードと、上記グループの中から所定のプログラムを検索する第２の検索モードと、
　上記第１の検索モードと上記第２の検索モードとを選択する検索モード選択手段と、
　上記検索モード選択手段によって選択された上記検索モードに基づいてプログラムを再生する制御手段と
　を備えることを特徴とする再生装置」である点。
　
　そして、次の点で相違する。
＜相違点＞
［ａ］本発明では、「再生装置」について、「記録媒体に記憶された複数のプログラムをグループ化して記憶手段に記憶し、上記記憶手段から所定のプログラムを選択して再生する」と、「第１の検索モード」について、「上記記憶手段に記憶された複数の上記グループの中から所定のグループを検索する」と、及び「制御手段」について、「上記記憶手段に記憶されたプログラムを再生する」と、それぞれ特定されているのに対し、引用文献１の発明では、プログラムを「記憶手段に記憶し、上記記憶手段から」再生する点、「記憶手段に記憶された」複数のグループの中から所定のグループを検索する点、及び「記憶手段に記憶された」プログラムを再生する点について、それぞれ特定されていない点。 
［ｂ］本発明では、「上記位置指定手段によって指定された上記各プログラムの再生位置を登録開始位置とし、上記登録開始位置から所定時間経過後の位置を登録終了位置とし、この区間を上記各プログラム毎の代表再生位置として登録する第１の登録手段」を備えているのに対し、引用文献１の発明では、そのような登録手段について特定されていない点。
［ｃ］本発明では、「上記第１の登録手段によって登録された上記各プログラム毎の代表再生位置の中から上記各グループ毎の代表再生位置として各グループの中から１つの代表再生位置を選択し、登録する第２の登録手段」を備えているのに対し、引用文献１の発明では、そのような登録手段について特定されていない点。
［ｄ］本発明では、「第１および第２の登録手段の管理情報を記憶する管理情報記録手段」を有し、選択された検索モードに基づいてプログラム再生するにあたっては前記管理情報に基づくのに対し、引用文献１の発明では、そのような管理情報について特定されていない点。
［ｅ］本発明では、「上記第１の検索モードと上記第２の検索モードとを組み合わせて上記グループから所定のプログラムを検索する第３の検索モード」を備え、「第１の検索モードと上記第２の検索モードと上記第３の検索モードとを選択する検索モード選択手段」を備えるのに対し、引用文献１の発明では、第３の検索モードについて特定されておらず、検索モード選択手段における選択に第３の検索モードが含まれていない点。
　
４．判断
（相違点［ａ］について）
　引用文献２には、ＣＤ等のオーディオデータを、記録媒体であるメモリカードに記録し再生するレコーダ／プレーヤが記載されている（【００１４】他）。同レコーダ／プレーヤでは「記録されたプログラムは複数のアルバムにカテゴライズされ」（【請求項９】）るものである。
　引用文献２における「アルバム」は本発明の「記録媒体」に、「カテゴライズ」は本発明の「グループ化」に、「メモリカード」は本発明の「記憶手段」に各々相当するから、引用文献２には、
「記録媒体に記憶された複数のプログラムをグループ化して記憶手段に記憶し、上記記憶手段から所定のプログラムを選択して再生する」手段（以下、「手段１」という。）
が記載されていると認められる。
　引用文献２の「記録再生装置」は、摘記した【００１４】にあるとおり、ＣＤプレーヤ等と共にシステムを構成するものであるから、引用文献１の発明の「再生装置」と技術分野において共通するものである。
　したがって、引用文献１の発明に前記手段１を適用することにより、引用文献１の発明の「再生装置」においてプログラムを記憶手段に記憶し、同装置及び「制御手段」において上記記憶手段から、または記憶手段に記憶された」曲を再生すること、及び引用文献１の発明のディクスハイライトスキャンモードとトラックハイライトスキャンモードにおいて「記憶手段に記憶された」各曲の所定位置を再生することは、当業者が容易に想到し得たものである。
　
（相違点［ｂ］［ｃ］［ｄ］について）
　引用文献２には、インデックス管理情報書き込み処理において、使用者によって再生ボタンすなわち入力手段の押されたタイミングで規定されるインデックス情報の開始位置を示す情報と、入力手段の押され続けた時間を示す情報とが制御部において生成され、これら情報が再生区間を示す情報としてメモリの所定領域に書き込まれることにより、再生されている楽曲等すなわちプログラムにおいて使用者の気に入った特徴的な部分や、所謂ダイジェスト部分を特定することが可能となり、プログラムのインデックス情報をユーザ自身が指定することができ、また、これを用いて容易に検索することができる記録再生装置、が記載されている（【請求項１】【０１５７】）。なおダイジェスト部分としては、各アルバムの代表曲のダイジェスト部分も挙げられている（【０１５２】）。
　引用文献２における「入力手段」は本発明の「位置指定手段」に、「開始位置」は本発明の「登録開始位置」に、「入力手段の押され続けた時間」は本発明の「所定時間」に、プログラムの「特徴的な部分」「ダイジェスト部分」「再生区間」は本発明の「プログラム毎の代表再生位置」に、「インデックス情報」は本発明の「管理情報」に、「代表曲のダイジェスト部分」は本発明の「グループ毎の代表再生位置」に各々相当し、また引用文献２における「これを用いて容易に検索することができる」は、「これ」が「インデックス情報」を示すこと並びに「検索」がプログラムの再生を前提とするものであることは明らかであるから、本発明の「管理情報」「に基づいてプログラムを再生する」に相当する。よって引用文献２には、
「各プログラム毎にそれぞれ所定の再生位置を指定する位置指定手段と、
　上記位置指定手段によって指定された上記各プログラムの再生位置を登録開始位置とし、上記登録開始位置から所定時間経過後の位置を登録終了位置とし、この区間を上記各プログラム毎の代表再生位置として登録する登録手段と、
  各グループ毎の代表再生位置として各グループの中から１つの代表再生位置を選択し、登録する登録手段と、
　上記登録手段の管理情報を記憶する管理情報記録手段と、
　上記管理情報記録手段に記憶された上記管理情報に基づいて上記記憶手段に記憶されたプログラムを再生する制御手段」
とからなる手段（以下、「手段２」という。）が記載されていると認められる。
　再生位置を指定しグループやプログラムを検索する点で引用文献２の記録再生装置は引用文献１の発明の再生装置と技術分野において共通するものであり、したがって、引用文献１の発明において前記手段２を適用することにより、各モードにおける再生位置を登録する登録手段を備えること、指定された登録開始位置から所定時間経過後の位置までの区間をプログラムの再生位置として登録すること、並びに、検索モードと登録手段の管理情報とに基づいてプログラムを再生することは、当業者が容易に想到し得たものである。
　そして、引用文献１の発明において各グループは各プログラムをグループ化してなるものであるから、各グループ毎の代表再生位置を各グループにおける各プログラム毎の代表再生位置の中から１つ選択する事はごく自然な選択であって、当業者が容易に想到し得たものである。
　
（相違点［ｅ］について）
　引用文献１の発明は、ディスクハイライトスキャンモードからトラックハイライトスキャンモードの順序で選択して情報再生動作を制御することができるようにしたことで実質上、本発明の第３の検索モードに相当する機能を有するものであるから、引用文献１の発明においても、ディスクハイライトスキャンモードからトラックハイライトスキャンモードとなる動作を独立したモードとし、第３の検索モードとして選択できるようにすることは当業者が容易に想到し得たものである。
　
  上記各相違点の判断を総合しても、本発明の奏する効果は引用文献１及び引用文献２に記載された発明から当業者が十分予測可能なものであって格別なものとは言えず、本発明は、引用文献１及び引用文献２に記載された発明、及び周知技術から当業者が容易に想到し得たものである。
　
５．本発明についてのむすび
　
　以上のとおり、本願の請求項１に係る発明は、その出願前に日本国内又は外国において頒布された刊行物に記載された発明に基いて容易に発明をすることができたものであるから、特許法第２９条２項の規定により特許を受けることができない。
　したがって本願は、その余の請求項について論及するまでもなく拒絶すべきものである。
　
　よって、結論のとおり審決する。